(57)【要約】【課題】  絶縁性を向上させた回路部品を提供する。【解決手段】  モータプロテクタ１００ａは、制御対象であるモータに電流を供給する電流経路上に設けられ、当該モータに対する電流供給を制御するものであり、ベース１４０ａの側面に構成される突起部１４３−１と、当該突起部１４３−１に構成され、ベース１４０ａ内の回路を構成するアーム１２０と電気的に接続される外部接続端子１４４−１と、先端が外部接続端子１４４−１に接続される導電線１５２−１と、外部接続端子１４４−１と導電線１５２−１との接続部分を内包する熱収縮性絶縁パイプ１６０−１とを有する。【選択図】  図３
2006269177.tif 000002
【特許請求の範囲】
【請求項１】
筐体と、
前記筐体内に構成される回路と、
前記筐体のいずれかの面に構成される突起部と、
前記突起部に構成され、前記回路と電気的に接続される外部接続端子と、
先端が前記外部接続端子に接続される導電線と、
前記突起部と、前記外部接続端子と前記導電線との接続部分とを内包する熱収縮性絶縁パイプとを有することを特徴とする回路部品。
【請求項２】
前記導電線を先端が露出するように被覆する絶縁材を有し、
前記熱収縮絶縁性パイプは、前記絶縁材を内包することを特徴とする請求項１に記載の回路部品。
【請求項３】
前記回路は、
モータ回転子に電流を供給する電流経路上に設けられる導電性アームと、
自身の温度に応じて反転動作を行うバイメタルと、
前記電流経路上に設けられる固定接点と、
前記導電性アームに設けられ、前記バイメタルが非反転状態のときに前記固定接点に接触し、前記バイメタルが反転状態のときに前記固定接点から離隔する可動接点とを有することを特徴とする請求項１又は２に記載の回路部品。
【発明の詳細な説明】
【技術分野】
【０００１】
本発明は、筐体のいずれかの面に構成される外部接続端子を介して外部と電気的に接続されることにより筐体内の回路を導通させる回路部品に関する。
【背景技術】
【０００２】
従来、コンプレッサ等に用いられるモータにおいては、内部のモータ回転子が何らかの理由によって拘束された場合や、モータ回転子に過負荷が加えられた場合に、温度が上昇してモータが破損することを防止すべく、モータプロテクタが用いられている（例えば、特許文献１乃至３参照）。
【０００３】
このような従来のモータプロテクタは、ベースとカバーによって構成される筐体内に、モータ回転子に対する電流供給を制御するための回路が設けられるとともに、この回路と電気的に接続された外部接続端子がベースの側面に構成される。外部接続端子は導電線の先端と接続される。外部接続端子と導電線との接続部分は、熱収縮性を有する絶縁パイプ（熱収縮絶縁性パイプ）によって内包される。その後、熱収縮絶縁性パイプが加熱されて収縮することによって、当該熱収縮絶縁性パイプの内壁面と、外部接続端子と導電線との接続部分の外周面とが密着し、絶縁性の確保が図られる。
【特許文献１】特開平１０−３０８１５０号公報
【特許文献２】特開２０００−１６６１８１号公報
【特許文献３】特開２００３−３２８９３９号公報
【発明の開示】
【発明が解決しようとする課題】
【０００４】
しかし、従来のモータプロテクタは、熱収縮絶縁性パイプの加熱時の収縮によって、外部接続端子のベース側の端部が露出した状態となり、絶縁性の確保が困難であるという問題があった。特に、複数の外部接続端子が隣接して構成され、各外部接続端子に導電線が接続されるような場合には、導電性のあるゴミ等の付着によって外部接続端子間が短絡してしまう可能性がある。
【０００５】
そこで、本発明は、絶縁性を向上させた回路部品を提供することを目的とする。
【課題を解決するための手段】
【０００６】
本発明の回路部品は、筐体と、前記筐体内に構成される回路と、前記筐体のいずれかの面に構成される突起部と、前記突起部に構成され、前記回路と電気的に接続される外部接続端子と、先端が前記外部接続端子に接続される導電線と、前記突起部と、前記外部接続端子と前記導電線との接続部分とを内包する熱収縮絶縁性パイプとを有する。
【０００７】
この構成により、熱収縮絶縁性パイプは、筐体の突起部に構成された外部接続端子と導電線との接続部分を内包するだけでなく、突起部についても内包する。このため、熱収縮絶縁性パイプが加熱によって収縮しても、外部接続端子の突起部側の端部が露出することが防止され、絶縁性の向上が図られる。
【０００８】
また、本発明の回路部品は、前記導電線を先端が露出するように被覆する絶縁材を有し、前記熱収縮絶縁性パイプが、前記絶縁材を内包する。
【０００９】
この構成により、導電線における絶縁材から露出した部分だけでなく、絶縁材についても内包する。このため、熱収縮絶縁性パイプが加熱によって収縮しても、導電線が露出することが防止され、絶縁性の向上が図られる。
【００１０】
また、本発明の回路部品は、前記回路が、モータ回転子に電流を供給する電流経路上に設けられる導電性アームと、自身の温度に応じて反転動作を行うバイメタルと、前記電流経路上に設けられる固定接点と、前記導電性アームに設けられ、前記バイメタルが非反転状態のときに前記固定接点に接触し、前記バイメタルが反転状態のときに前記固定接点から離隔する可動接点とを有するモータプロテクタである。
【発明の効果】
【００１１】
本発明の回路部品は、外部接続端子が構成される筐体の突起部についても熱収縮絶縁性パイプに内包され、絶縁性を向上させることが可能となる。
【発明を実施するための最良の形態】
【００１２】
以下、本発明を実施するための最良の形態について、図面に基づいて説明する、本発明の回路部品の実施形態に係る第１のモータプロテクタの分解斜視図を図１に、第１のモータプロテクタの上面図及び側面図を図２（図２（ａ）が上面図、図２（ｂ）及び（ｃ）が側面図）にそれぞれ示す。これら図１及び図２に示すモータプロテクタ１００ａは、制御対象であるモータ（図示せず）に電流を供給する電流経路上に設けられ、当該モータに対する電流供給を制御する。
【００１３】
このモータプロテクタ１００ａは、カバー１１０、アーム１２０、バイメタルディスク１３０、ベース１４０ａ、ワイヤリード１５０−１及び１５０−２（以下、これらワイヤリード１５０−１及び１５０−２をまとめて適宜「ワイヤリード１５０」と称する）、熱収縮絶縁性パイプ１６０−１及び１６０−２（以下、これら熱収縮絶縁性パイプ１６０−１及び１６０−２をまとめて適宜「熱収縮絶縁性パイプ１６０」と称する）により構成される。
【００１４】
カバー１１０とベース１４０ａは、筐体を構成し、内部にアーム１２０とバイメタルディスク１３０とが配置される。これらカバー１１０及びベース１４０ａは、絶縁性を有している。
【００１５】
アーム１２０は、導電性を有し、カバー１１０の下方に配置される。このアーム１２０の一端には貫通孔１２２−１及び１２２−２（以下、これら貫通孔１２２−１及び１２２−２をまとめて適宜「貫通孔１２２」と称する）が形成されている。また、アーム１２０の他端の下面には、可動接点１２４が取り付けられている。更に、アーム１２０における可動接点１２４の取り付け位置よりも中央寄りの下面には突起部１２６が取り付けられている。
【００１６】
バイメタルディスク１３０は、アーム１２０の下方に配置される。このバイメタルディスク１３０は、熱膨張率の異なる２種類の金属片を上下に貼り合わせたものであり、導電性を有する。また、バイメタルディスク１３０の一端には、貫通孔１３２−１及び１３２−２（以下、これら貫通孔１３２−１及び１３２−２をまとめて適宜「貫通孔１３２」と称する）が形成されている。
【００１７】
バイメタルディスク１３０は、通常時では、フォーミングによって中央部が上方に湾曲した状態（非反転状態）となっている。一方、周囲の雰囲気温度が上昇することによって、バイメタルディスク１３０の温度が予め定められた所定温度（動作温度）以上になると、当該バイメタルディスク１３０は、２種類の金属片の熱膨張率の違いによって、中央部が下方に湾曲した状態（反転状態）となる。その後、バイメタルディスク１３０の温度が下降して、動作温度よりも低い予め定められた温度（復帰温度）以下になると、当該バイメタルディスク１３０は、再び、中央部が上方に湾曲した状態（非反転状態）となる。
【００１８】
ベース１４０ａは、上述したアーム１２０及びバイメタルディスク１３０を、アーム１２０が上側、バイメタルディスク１３０が下側となるように重ねて収容する。ベース１４０ａの一端の上面には、突起部１４２−１及び１４２−２（以下、これら突起部１４２−１及び１４２−２をまとめて適宜「突起部１４２」と称する）が構成されるとともに、これら突起部１４２−１及び１４２−２の周囲には端子１４５が構成されている。
【００１９】
突起部１４２−１は、アーム１２０に形成された貫通孔１２２−１及びバイメタルディスク１３０に形成された貫通孔１３２−１に嵌合し、突起部１４２−２は、アーム１２０に形成された貫通孔１２２−２及びバイメタルディスク１３０に形成された貫通孔１３２−２に嵌合する。これにより、端子１４５の上面とバイメタルディスク１３０の下面が接触するとともに、バイメタルディスク１３０の上面とアーム１２０の下面が接触し、これら端子１４５、バイメタルディスク１３０及びアーム１２０の電気的接続が図られる。
【００２０】
また、ベース１４０ａの他端の上面には、固定接点１４６が構成されている。
【００２１】
また、ベース１４０ａの一端の側面には、突起部１４３−１及び１４３−２（以下、これら突起部１４３−１及び１４３−２をまとめて適宜「突起部１４３」と称する）が隣接して構成される。突起部１４３−１の先端には外部接続端子１４４−１が構成され、突起部１４３−２の先端には外部接続端子１４４−２が構成されている（以下、これら外部接続端子１４４−１及び１４４−２をまとめて適宜「外部接続端子１４４」と称する）。
【００２２】
外部接続端子１４４−１は、導電性を有するベースプレート１４７を介して固定接点１４６と電気的接続が図られている。一方、外部接続端子１４４−２は、端子１４５と電気的接続が図られている。上述したように、端子１４５、バイメタルディスク１３０及びアーム１２０は、電気的接続が図られているため、外部接続端子１４４−２はアーム１２０との間で電気的接続が図られることになる。
【００２３】
また、外部接続端子１４４−１には、ワイヤリード１５０−１が接続されている。このワイヤリード１５０−１は、導電線１５２−１と当該導電線１５２−１の周囲に被覆された絶縁材１５４−１とによって構成される。導電線１５２−１は、一端が絶縁材１５４−１から露出しており、その露出部分が外部接続端子１４４−１に溶着されることによって接続される。これにより、外部接続端子１４４−１と導電線１５２−１との電気的接続が図られる。同様に、外部接続端子１４４−２には、導電線１５２−１と当該導電線１５２−２の周囲に被覆された絶縁材１５４−２とによって構成されるワイヤリード１５０−２が接続されている。導電線１５２−２は、一端が絶縁材１５４−２から露出しており、その露出部分が外部接続端子１４４−２に溶着されることによって接続される。これにより、外部接続端子１４４−２と導電線１５２−２との電気的接続が図られる。
【００２４】
熱収縮絶縁性パイプ１６０−１は、外部接続端子１４４−１と導電線１５２−１との接続部分、突起部１４３−１、および、絶縁材１５４−１の一部を内包するように取り付けられる。図３は、熱収縮絶縁性パイプ１６０−１が取り付けられた状態を示す図である。
【００２５】
再び、図１及び図２に戻って説明する。熱収縮絶縁性パイプ１６０−２は、熱収縮絶縁性パイプ１６０−１と同様、外部接続端子１４４−２と導電線１５２−２との接続部分、突起部１４３−２、及び、絶縁材１５４−２の一部を内包するように取り付けられる。
【００２６】
熱収縮絶縁性パイプ１６０−１は、外部接続端子１４４−１と導電線１５２−１との接続部分、突起部１４３−１、及び、絶縁材１５４−１の一部を内包した状態で加熱されることにより収縮する。その結果、外部接続端子１４４−１と導電線１５２−１との接続部分の外周面、及び突起部１４３−１の外周面、及び、絶縁材１５４−１の一部の外周面と、熱収縮絶縁性パイプ１６０−１の内壁面とが密着する。このため、外部接続端子１４４−１と導電線１５２−１との接続部分は、全体が熱収縮絶縁性パイプ１６０−１に被覆された状態となり露出しない。
【００２７】
同様に、熱収縮絶縁性パイプ１６０−２は、外部接続端子１４４−２と導電線１５２−２との接続部分、突起部１４３−２、及び、絶縁材１５４−２の一部を内包した状態で加熱されることにより収縮する。その結果、外部接続端子１４４−２と導電線１５２−２との接続部分の外周面、及び突起部１４３−２の外周面、及び、絶縁材１５４−２の一部の外周面と、熱収縮絶縁性パイプ１６０−２の内壁面とが密着する。このため、外部接続端子１４４−２と導電線１５２−２との接続部分は、全体が熱収縮絶縁性パイプ１６０−２に被覆された状態となり露出しない。
【００２８】
なお、熱収縮絶縁性パイプ１６０−１が加熱によって収縮したときに、外部接続端子１４４−１と導電線１５２−１との接続部分を露出させないようにするためには、熱収縮絶縁性パイプ１６０−１の取り付け時に、突起部１４３−１及び絶縁材１５４−１との重なり部分を長めにしておくことが好ましい。同様に、熱収縮絶縁性パイプ１６０−２が加熱によって収縮したときに、外部接続端子１４４−２と導電線１５２−２との接続部分を露出させないようにするためには、熱収縮絶縁性パイプ１６０−２の取り付け時に、突起部１４３−２及び絶縁材１５４−２との重なり部分を長めにしておくことが好ましい。
【００２９】
次に、モータプロテクタ１００ａの動作を説明する。図４は、モータプロテクタ１００ａの動作を示す図である。モータプロテクタ１００ａの制御対象であるモータが正常状態の場合には、図４（ａ）に示すように、モータプロテクタ１００ａ内のバイメタルディスク１３０は、中央部が上方に湾曲し非反転状態となっている。そして、アーム１２０に取り付けられた可動接点１２４は、固定接点１４６に接触している。このため、ワイヤリード１５０−１の導電線１５２−１とワイヤリード１５０−２の導電線１５２−２とは、外部接続端子１４４−１、ベースプレート１４７、固定接点１４６、可動接点１２４、アーム１２０、バイメタルディスク１３０、端子１４５及び外部接続端子１４４−２を介して電気的接続が図られ、電流経路が導通してモータへ電流が供給される。
【００３０】
一方、モータ内のモータ回転子が拘束された場合や、モータ回転子に過負荷が加えられて電流量が増加した場合には、モータの回転子の発熱によるバイメタルディスク１３０の周辺の雰囲気温度の上昇によって、当該バイメタルディスク１３０の温度が上昇する。そして、バイメタルディスク１３０の温度が動作温度以上になった場合には、当該バイメタルディスク１３０は、図４（ｂ）に示すように非反転状態から平坦な状態になり、更には、図４（ｃ）に示すように中央部が下方に湾曲した反転状態となる。
【００３１】
バイメタルディスク１３０が反転状態になると、当該バイメタルディスク１３０の上面がアーム１２０の下面に取り付けられた突起部１２６を上方に押圧する。これによって、アーム１２０の下面に取り付けられた可動接点１２４は、固定接点１４６から離隔する。このため、ワイヤリード１５０−１の導電線１５２−１とワイヤリード１５０−２の導電線１５２−２との電気的接続が断たれ、電流経路が非導通となってモータへの電流供給が停止する。
【００３２】
このように、モータプロテクタ１００ａは、熱収縮絶縁性パイプ１６０が外部接続端子１４４と導電線１５２との接続部分と、この接続部分の一端の側の突起部１４３及び他端の側の絶縁材１５４の一部とを内包するように取り付けられて、加熱によって収縮する。このため、外部接続端子１４４と導電線１５２の接続部分は、全体が熱収縮絶縁性パイプ１６０に被覆された状態となり露出せず、当該接続部分の絶縁性を向上させることが可能となる。
【００３３】
本発明の回路部品の実施形態に係る第２のモータプロテクタの分解斜視図を図５に、モータプロテクタの上面図及び側面図を図６（図６（ａ）が上面図、図６（ｂ）及び（ｃ）が側面図）にそれぞれ示す。これら図５及び図６に示すモータプロテクタ１００ｂは、モータプロテクタ１００ａと比較すると、バイメタルディスク１３０の下面にＰＴＣサーミスタ１３５が構成されている。
【００３４】
また、ベース１４０ｂの一端の側面に突起部１４３−１が構成され、他端の側面に突起部１４３−２が構成されている。そして、モータプロテクタ１００ａと同様、突起部１４３−１の先端には外部接続端子１４４−１が構成され、突起部１４３−２の先端には外部接続端子１４４−２が構成されている。外部接続端子１４４−１は、端子１４５と電気的接続が図られている。一方、外部接続端子１４４−２は、ベースプレート１４７を介して固定接点１４６と電気的接続が図られている。
【００３５】
外部接続端子１４４−１には、ワイヤリード１５０−１が接続されている。このワイヤリード１５０−１は、導電線１５２−１と当該導電線１５２−１の周囲に被覆された絶縁材１５４−１とによって構成される。導電線１５２−１は、一端が絶縁材１５４−１から露出しており、その露出部分が外部接続端子１４４−１に溶着されることによって接続される。同様に、外部接続端子１４４−２には、導電線１５２−１と当該導電線１５２−２の周囲に被覆された絶縁材１５４−２とによって構成されるワイヤリード１５０−２が接続されている。導電線１５２−２は、一端が絶縁材１５４−２から露出しており、その露出部分が外部接続端子１４４−２に溶着されることによって接続される。
【００３６】
熱収縮絶縁性パイプ１６０−１は、外部接続端子１４４−１と導電線１５２−１との接続部分と、突起部１４３−１、及び、絶縁材１５４−１の一部を内包するように取り付けられる。熱収縮絶縁性パイプ１６０−１が加熱されると、外部接続端子１４４−１と導電線１５２−１との接続部分の外周面、及び突起部１４３−１の外周面、及び、絶縁材１５４−１の一部の外周面と、熱収縮絶縁性パイプ１６０−１の内壁面とが密着する。このため、外部接続端子１４４−１と導電線１５２−１との接続部分は、全体が熱収縮絶縁性パイプ１６０−１に被覆された状態となり露出せず、絶縁が確保される。
【００３７】
同様に、熱収縮絶縁性パイプ１６０−２は、外部接続端子１４４−２と導電線１５２−２との接続部分、突起部１４３−２、及び、絶縁材１５４−２の一部を内包するように取り付けられる。熱収縮絶縁性パイプ１６０−２が加熱されると、外部接続端子１４４−２と導電線１５２−２との接続部分の外周面、及び突起部１４３−２の外周面、及び、絶縁材１５４−２の一部の外周面と、熱収縮絶縁性パイプ１６０−２の内壁面とが密着する。このため、外部接続端子１４４−２と導電線１５２−２との接続部分は、全体が熱収縮絶縁性パイプ１６０−２に被覆された状態となり露出せず、絶縁が確保される。
【００３８】
なお、モータプロテクタの構成は、上述した構成以外にも様々な構成が考えられる。例えば、モータプロテクタ１００ａにＰＴＣサーミスタ１３５を備えた構成や、モータプロテクタ１００ｂにおけるＰＴＣサーミスタ１３５が取り外された構成でも良い。
【００３９】
また、上述した実施形態では、回路部品としてのモータプロテクタについて説明したが、モータプロテクタ以外の他の回路部品においても同様に本発明を適用することができる。
【産業上の利用可能性】
【００４０】
以上のように、本発明に係る回路部品は、絶縁性の向上が可能となり、回路部品として有用である。
【図面の簡単な説明】
【００４１】
【図１】第１のモータプロテクタの分解斜視図である。
【図２】第１のモータプロテクタの上面図及び側面図である。
【図３】絶縁性パイプの取り付け状態を示す図である。
【図４】第１のモータプロテクタの動作を示す図である。
【図５】第２のモータプロテクタの分解斜視図である。
【図６】第２のモータプロテクタの上面図及び側面図である。
【符号の説明】
【００４２】
１００ａ、１００ｂ  モータプロテクタ
１１０  カバー
１２０  アーム
１２２−１、１２２−２、１３２−１、１３２−２  貫通孔
１２４  可動接点
１２６、１４２−１、１４２−２、１４３−１、１４３−２  突起部
１３０  バイメタルディスク
１３５  ＰＴＣサーミスタ
１４０ａ、１４０ｂ  ベース
１４４−１、１４４−２  外部接続端子
１４５  端子
１４６  固定接点
１４７  ベースプレート
１５０−１、１５０−２  ワイヤリード
１５２−１、１５２−２  導電線
１５４−１、１５４−２  絶縁材
１６０−１、１６０−２  熱収縮絶縁性パイプ
【図１】
2006269177.tif 000003
【図２】
2006269177.tif 000004
【図３】
2006269177.tif 000005
【図４】
2006269177.tif 000006
【図５】
2006269177.tif 000007
【図６】
2006269177.tif 000008